(57)【要約】【課題】複数周波数でのアンテナ特性を向上させたアンテナ及びそれを用いた無線機を提供する。【解決手段】、複数バンドに対応した送受信アンテナエレメントが複数有る場合、複数の給電点を有し、かつ非選択側の給電点（使用していない側の終端）にリアクタンス成分を負荷するようにしたことにより、アンテナエレメント同士の影響を低減することができアンテナ特性の劣化を防ぐことができる。【選択図】図１
2008244547.tif 000002
【特許請求の範囲】
【請求項１】
異なる複数バンドに対応し、複数の給電点を有し、かつ非選択側の給電点にリアクタンス成分を負荷するようにしたことを特徴とするアンテナ。
【請求項２】
異なる複数のバンドにそれぞれ対応したアンテナエレメントと、共通接点が各アンテナエレメントのフィーダに接続された複数の切り換えスイッチと、該各切り換えスイッチの一方の接点にそれぞれ接続されたリアクタンス素子と、前記各切り換えスイッチの他方の接点にそれぞれ接続された給電点とを備えたことを特徴とするアンテナ。
【請求項３】
一つの成型物内に複数のアンテナエレメントと給電点とが一体的に形成されていることを特徴とする請求項１または２記載のアンテナ。
【請求項４】
請求項１から３の何れか１項記載のアンテナを備えたことを特徴とする無線機。
【請求項５】
表示部側筐体と操作部側筐体とがヒンジを介して開閉が可能な折りたたみ型であることを特徴とする請求項４記載の無線機。
【請求項６】
表示部側筐体と操作部側筐体とがスライド可能なスライド型であることを特徴とする請求４記載の無線機。
【発明の詳細な説明】
【技術分野】
【０００１】
本発明は、アンテナ及びそれを用いた無線機に関する。
【背景技術】
【０００２】
携帯無線機のマルチバンド化が進んでいる。このため、複数の周波数帯をカバーするアンテナの開発が行われ、それを用いた無線機やアンテナ切り換え回路の開発も行われている（例えば、特許文献１、２参照。）。
【特許文献１】特開平７―２０２７７４号公報
【特許文献２】特開２０００―２１６７１６号公報
【発明の開示】
【発明が解決しようとする課題】
【０００３】
ところで、周波数ごとに給電点を設けたマルチバンドマルチポートアンテナの検討も進んでいるが、お互いのアンテナエレメント若しくは給電点等の影響でアンテナ特性が劣化してしまうため、お互いの給電点の影響を低減する必要がある。
そこで、本発明の目的は、複数周波数でのアンテナ特性を向上させたアンテナ及びそれを用いた無線機を提供することにある。
【課題を解決するための手段】
【０００４】
上記課題を解決するため、請求項１記載の発明は、異なる複数バンドに対応し、複数の給電点を有し、かつ非選択側の給電点にリアクタンス成分を負荷するようにしたことを特徴とする。
【０００５】
請求項１記載の発明によれば、異なる複数バンドに対応し、複数の給電点を有し、かつ非選択側の給電点にリアクタンス成分を負荷するようにしたことにより、アンテナエレメント同士の影響を低減することができアンテナ特性の劣化を防ぐことができる。
【０００６】
請求項２記載の発明は、異なる複数のバンドにそれぞれ対応したアンテナエレメントと、共通接点が各アンテナエレメントのフィーダに接続された複数の切り換えスイッチと、該各切り換えスイッチの一方の接点にそれぞれ接続されたリアクタンス素子と、前記各切り換えスイッチの他方の接点にそれぞれ接続された給電点とを備えたことを特徴とする。
【０００７】
請求項２記載の発明によれば、異なる複数のバンドにそれぞれ対応したアンテナエレメントと、共通接点が各アンテナエレメントのフィーダに接続された複数の切り換えスイッチと、該各切り換えスイッチの一方の接点にそれぞれ接続されたリアクタンス素子と、前記各切り換えスイッチの他方の接点にそれぞれ接続された給電点とを備えたことにより、アンテナエレメント同士の影響を低減することができアンテナ特性の劣化を防ぐことができる。
【０００８】
請求項３記載の発明は、請求項１または２記載の発明において、一つの成型物内に複数のアンテナエレメントと給電点とが一体的に形成されていることを特徴とする。
【０００９】
請求項３記載の発明によれば、一つの成型物内に複数のアンテナエレメントと給電点とが一体的に形成されていることにより、アンテナ特性を向上させたコンパクトなアンテナが得られる。
【００１０】
請求項４記載の発明は、請求項１から３の何れか１項記載のアンテナを備えた無線機であることを特徴とする。
【００１１】
請求項５記載の発明は、請求項４記載の発明において、表示部側筐体と操作部側筐体とがヒンジを介して開閉が可能な折りたたみ型であることを特徴とする。
【００１２】
請求項５記載の発明によれば、表示部側筐体と操作部側筐体とがヒンジを介して開閉が可能な折りたたみ型であることにより、アンテナ特性を向上させたコンパクトな無線機が得られる。
【００１３】
請求項６記載の発明は、請求項４記載の発明において、表示部側筐体と操作部側筐体とがスライド可能なスライド型であることを特徴とする。
【００１４】
請求項６記載の発明によれば、示部側筐体と操作部側筐体とがスライド可能なスライド型であることにより、アンテナ特性を向上させたコンパクトな無線機が得られる。
【発明の効果】
【００１５】
本発明によれば、異なる複数バンドに対応した送受信アンテナエレメントが複数有る場合、複数の給電点を有し、かつ非選択側の給電点（使用していない側の終端）にリアクタンス成分を負荷するようにしたことにより、アンテナエレメント同士の影響を低減することができアンテナ特性の劣化を防ぐことができる。
【発明を実施するための最良の形態】
【００１６】
本発明に係るアンテナの一実施の形態は、異なる複数バンドに対応し、複数の給電点を有し、かつ非選択側の給電点にリアクタンス成分を負荷するようにしたことを特徴とする。
【００１７】
上記構成によれば、異なる複数バンドに対応し、複数の給電点を有し、かつ非選択側の給電点にリアクタンス成分を負荷するようにしたことにより、アンテナエレメント同士の影響を低減することができアンテナ特性の劣化を防ぐことができる。
ここで、リアクタンス成分としては、種々のコンデンサ若しくはコイルまたはこれらの組み合わせによって得られるリアクタンスであり、容量性のリアクタンス及び誘導性のリアクタンスを含む。
アンテナエレメントとしては、ホイップ型、逆Ｌ型、逆Ｆ型、モノポール型、ミアンダ型（ジグザグ型）、ヘリカル型、板金の一部を打ち抜いたスロットアンテナ型など、様々なアンテナエレメントが挙げられる。
【００１８】
本発明に係るアンテナの他の実施の形態は、異なる複数のバンドにそれぞれ対応したアンテナエレメントと、共通接点が各アンテナエレメントのフィーダに接続された複数の切り換えスイッチと、各切り換えスイッチの一方の接点（非選択側給電点）にそれぞれ接続されたリアクタンス素子と、各切り換えスイッチの他方の接点（選択側給電点）にそれぞれ接続された整合器とを備えたことを特徴とする。
ここで、リアクタンス素子とは、コンデンサ若しくはコイルまたはこれらの組み合わせをいう。
また、切り換えスイッチは、例えば単極双投型切り換えスイッチが用いられるが、アンテナの種類（ダイポールアンテナ、切り返しダイポールアンテナ、八木・宇田アンテナ、ロンビックアンテナ、スクエアロアンテナ、キュビカルクワッドアンテナ等）に応じて双極双投型切り換えスイッチを用いてもよい。
【００１９】
上記構成によれば、アンテナエレメント同士の影響を低減することができアンテナ特性（ＳＷＲ（Standing Wave Ratio：定在波比）、ＦＢ（Front Back）比、指向性、利得、リターンロス、放射効率）の劣化を防ぐことができる。
【００２０】
本発明に係るアンテナの他の実施の形態は、上記構成に加え、一つの成型物内に複数のアンテナエレメントと給電点とが一体的に形成されていることを特徴とする。
【００２１】
上記構成によれば、一つの成型物内に複数のアンテナエレメントと給電点とが一体的に形成されていることにより、コンパクトなアンテナが得られる。
【００２２】
本発明に係る無線機の一実施の形態は、上記何れかの構成のアンテナを備えたことを特徴とする。
ここで、無線機としては、例えば、携帯電話、ＰＤＡ（Personal Digital Assistants）、通信型ゲーム機が挙げられる。
【００２３】
本発明に係る無線機の他の実施の形態は、上記構成に加え、表示部側筐体と操作部側筐体とがヒンジを介して開閉が可能な折りたたみ型であることを特徴とする。
【００２４】
上記構成によれば、表示部側筐体と操作部側筐体とがヒンジを介して開閉が可能な折りたたみ型であることにより、アンテナ特性を向上させたコンパクトな無線機が得られる。
【００２５】
本発明に係る無線機の他の実施の形態は、上記構成に加え、表示部側筐体と操作部側筐体とがスライド可能なスライド型であることを特徴とする。
【００２６】
上記構成によれば、示部側筐体と操作部側筐体とがスライド可能なスライド型であることにより、アンテナ特性を向上させたコンパクトな無線機が得られる。
【００２７】
すなわち、本発明は、選択した周波数以外の給電点にリアクタンス成分を持たせることで、お互いの影響を軽減し、アンテナ特性を改善することを特徴とする。
【００２８】
なお、上述した実施の形態は、本発明の好適な実施の形態の一例を示すものであり、本発明はそれに限定されることなく、その要旨を逸脱しない範囲内において、種々変形実施が可能である。
【実施例】
【００２９】
次に、本発明の実施例について図面を参照して説明する。
図１は、本発明に係るアンテナの周辺の一実施例を示すブロック図である。
同図に示すアンテナは、周波数ごとに給電点を設けた、マルチバンドマルチポートアンテナである。同図において、複数バンドに対応したＮ本のアンテナエレメント１−１〜１−ｉ〜１−Ｎ（Ｎは自然数）とＮ個の非選択側給電点２−１ａ〜２−ｉａ〜２−Ｎａと、Ｎ個の選択側給電点２−１ｂ〜２−ｉｂ〜２−Ｎｂとを示している。
【００３０】
すなわち、図１において、アンテナエレメント１−１のフィーダは単極双投型切り換えスイッチ２−１の共通接点に接続され、単極双投型切り換えスイッチ２−１の一方の接点（非選択側給電点：図では上側）にリアクタンス素子ｊＸ１（３−１）が接続され、単極双投型切り換えスイッチ２−１の他方の接点（選択側給電点：この場合、下側）に整合器ＭＣ（Matching Circuit）４−１の一端（図の左側）が接続されている。整合器ＭＣ４−１の他端（この場合右側）はアンテナスイッチ５に接続されている。
【００３１】
アンテナエレメント１−ｉのフィーダは単極双投型切り換えスイッチ２−ｉの共通接点に接続され、単極双投型切り換えスイッチ２−ｉの一方の接点（非選択側給電点：図では上側）にリアクタンス素子ｊＸｉ（３−ｉ）が接続され、単極双投型切り換えスイッチ２−ｉの他方の接点（選択側給電点：この場合、下側）に整合器ＭＣ４−ｉの一端（図の左側）が接続されている。整合器ＭＣ４−ｉの他端（この場合右側）はアンテナスイッチ５に接続されている。
【００３２】
同様に、アンテナエレメント１−Ｎのフィーダは単極双投型切り換えスイッチ２−Ｎの共通接点に接続され、単極双投型切り換えスイッチ２−Ｎの一方の接点（非選択側給電点：図では上側）にリアクタンス素子ｊＸＮ（３−Ｎ）が接続され、単極双投型切り換えスイッチ２−Ｎの他方の接点（選択側給電点：この場合、下側）に整合器ＭＣ４−Ｎの一端（図の左側）が接続されている。整合器ＭＣ４−Ｎの他端（この場合右側）はアンテナスイッチ５に接続されている。
【００３３】
アンテナスイッチ５は、ダイオードスイッチであるが、本発明はこれに限定されるものではなく、リレー、ロータリースイッチを用いてもよい。
アンテナスイッチ５は、単極双投型切り換えスイッチ２−１〜２−Ｎに同期しており、例えばアンテナエレメント１−ｉが選択されているとすると、単極双投型切り換えスイッチ２−ｉは可動切片が共通接点と他方の接点とを接続し、単極双投型切り換えスイッチ２−ｉ以外の単極双投型切り換えスイッチは可動切片が共通接点と一方の接点とを接続するようになっている。
アンテナスイッチ５は図示しない高周波回路に接続されている。
単極双投型切り換えスイッチ２−１〜２−ｊは、例えば、ダイオードスイッチが挙げられるが、本発明はこれに限定されるものではなく、リレー若しくはスナップスイッチを用いてもよい
【００３４】
アンテナエレメント１−１〜１−Ｎは、一つの成型物（樹脂モールド）に一体的に形成されていてもよく、各単極双投型切り換えスイッチ２−ｉ〜２−Ｎ、各リアクタンス素子３−１〜３−Ｎ、及び各整合器４−１〜４−Ｎと一体的に形成されていてもよい。
ここで、「非選択時」とはアンテナエレメント１−１〜１−Ｎと高周波回路とが接続されていない時を意味し、「選択時」とはアンテナエレメント１−１〜１−Ｎと高周波回路とが接続されている時を意味する。
【００３５】
例えば、ｉ番目のアンテナエレメント１−ｉを用いた周波数バンドを選択した場合、他の給電点２−１ａ…（２−１ｉを除く）…２−Ｎａ、にリアクタンス（ｊＸ：ｊは√−１）を負荷する。このことにより、お互いのアンテナエレメント１−１〜１−Ｎ(若しくは給電点)の影響を軽減できアンテナ特性が改善する。
【００３６】
〔実施例の動作の説明〕
周波数ごとに給電点を設けたアンテナエレメント１−１〜１−Ｎの、非選択側のアンテナエレメントの給電点２−１ａ〜２−Ｎａにリアクタンス成分を負荷する（リアクタンス素子ｊＸ１〜ｊＸＮを接続する）ことにより、アンテナエレメント１−１〜１−Ｎ同士の影響を低減できアンテナ特性の劣化を防ぐことができる。
【００３７】
〔効果の説明〕
非選択時のアンテナにリアクタンス成分（ｊＸ）を負荷することで、アンテナエレメントの影響を低減できアンテナ特性の劣化を防ぐことができる。
【００３８】
ここで、無線機としては、例えば、携帯電話が挙げられる。
図２は、図１に示したアンテナを用いた無線機としての携帯電話の一例を示す概念図である。図３は、図１に示したアンテナを用いた無線機としての携帯電話の他の一例を示す概念図である。
携帯電話１０としては、図２に示すように表示部側筐体１０−１と操作部側筐体１０−２とがヒンジ１１を介して開閉が可能な折りたたみ型であっても、図３に示す携帯電話２０のように、表示部側筐体２０−１と操作部側筐体２０−２とがスライド可能なスライド型であってもよい。
【図面の簡単な説明】
【００３９】
【図１】本発明に係るアンテナの周辺の一実施例を示すブロック図である。
【図２】図１に示したアンテナを用いた無線機としての携帯電話の一例を示す概念図である。
【図３】図１に示したアンテナを用いた無線機としての携帯電話の他の一例を示す概念図である。
【符号の説明】
【００４０】
１−１〜１−Ｎ    アンテナエレメント
２−１〜２−Ｎ    単極双投型切り換えスイッチ
３−１〜３−Ｎ    リアクタンス素子
４−１〜４−Ｎ    整合器
５    アンテナスイッチ
【図１】
2008244547.tif 000003
【図２】
2008244547.tif 000004
【図３】
2008244547.tif 000005